(57)【要約】【課題】幼児に対し高い魅力を与えつつ該幼児の自立心を促進し、且つ室内を好適に整頓する。【解決手段】幼児用ハウス遊具１は、パイプ１１及びジョイント１２によって上階空間部Ａ２及び下階空間部Ａ１が画設されるよう構成された骨組２と、下階空間部Ａ１に設置された収納箱２１と、上階空間部Ａ２に設けられ幼児の遊戯場としての遊戯部Ｓと、遊戯部Ｓへ幼児が昇降するための階段５１と、を備えている。遊戯部Ｓは、その周囲がテント３で遮蔽されている。これにより、幼児に好まれる高い場所に、幼児の自立心を養うような幼児だけの特別な部屋（居場所）を遊戯部Ｓとして提供することができる。併せて、幼児は、自分のものを自分で下階空間部Ａ１の収納箱２１に片付けたりしまったり等することができる。加えて、かかる収納箱２１は、例えば細々とした玩具等の被収納物を収納するものとしても利用することができる。【選択図】図２
2011110100.tif 000002
【特許請求の範囲】
【請求項１】
複数のパイプ部材及び複数のジョイント部材によって複数階の空間部が画設されるように構成された骨組部と、
前記複数階の空間部のうち一の空間部に設けられ、被収納物を収納する収納部と、
前記複数階の空間部のうち前記一の空間部の上階に位置する他の空間部に設けられ、幼児の遊戯場としての遊戯部と、
前記遊戯部へ前記幼児が昇降するための昇降部と、を備え、
前記遊戯部は、その周囲の少なくとも一部を遮蔽する遮蔽体を有することを特徴とする幼児用ハウス遊具。
【請求項２】
前記遊戯部は、その床板として敷設された複数の床板パネルをさらに有しており、
前記床板パネルは、複数の前記パイプ部材間に架設されていると共に、互いに共通の外形形状を呈し、
前記床板パネルの外縁部分は、上方視において隣接する前記床板パネル同士が互いに入り込むように凹凸状とされていると共に、前記パイプ部材の水平方向の変位を規制するように該パイプ部材に係合する係合部を含むことを特徴とする請求項１記載の幼児用ハウス遊具。
【発明の詳細な説明】
【技術分野】
【０００１】
本発明は、幼児用ハウス遊具に関する。
【背景技術】
【０００２】
従来の幼児用ハウス遊具としては、例えば特許文献１に記載されているものが知られている。この幼児用ハウス遊具では、空気嚢で形成した骨組部（枠体）に囲まれたシートによって構成体が形成されていると共に、この構成体が複数連結されることによって、幼児の遊戯空間としての遊戯部が形成されている。そして、構成体には、幼児が遊戯部に出入りするための出入口が設けられている。
【先行技術文献】
【特許文献】
【０００３】
【特許文献１】実用新案登録第３０１０２２２号公報
【発明の概要】
【発明が解決しようとする課題】
【０００４】
ここで、近年の幼児用ハウス遊具としては、幼児に対して高い魅力を有するだけでなく、幼児の自立心を促進（育成）できるものが強く求められている。特に、上述した幼児用ハウス遊具では、おおよそ２歳になるような幼児（以下、単に「２歳児」という）に使用されるという実情があり、かかる２歳児に対して高い魅力を与え且つ自立心を促進させるものが特に望まれる。一方で、父母等の立場からは、室内で散在し易い細々とした玩具等を収納し、室内を好適に整頓したいというニーズがある。
【０００５】
そこで、本発明は、幼児に対し高い魅力を与えつつ該幼児の自立心を促進することができ、且つ室内を好適に整頓可能な幼児用ハウス遊具を提供することを課題とする。
【課題を解決するための手段】
【０００６】
上記課題を解決するため、本発明に係る幼児用ハウス遊具は、複数のパイプ部材及び複数のジョイント部材によって複数階の空間部が画設されるように構成された骨組部と、複数階の空間部のうち一の空間部に設けられ、被収納物を収納する収納部と、複数階の空間部のうち一の空間部の上階に位置する他の空間部に設けられ、幼児の遊戯場としての遊戯部と、遊戯部へ幼児が昇降するための昇降部と、を備え、遊戯部は、その周囲の少なくとも一部を遮蔽する遮蔽体を有することを特徴とする。
【０００７】
この本発明に係る幼児用ハウス遊具では、遮蔽体で周囲が遮蔽された遊戯部が、幼児の遊戯場として上階の空間部に設けられている。よって、幼児に好まれる高い場所に、幼児の自立心を養うような幼児だけの特別な部屋（居場所）を提供することができる。これと共に、下階の空間部に収納部が設けられていることから、幼児は、自分のものを自分で収納部へ片付けたり、大事なものを収納部にしまったり等することができる。従って、幼児に対し高い魅力を与えつつ該幼児の自立心を促進することが可能となる。加えて、かかる収納部は、例えば細々とした玩具等の被収納物を収納するものとしても利用でき、室内を好適に整頓することも可能となる。さらに、本発明においては、骨組部が複数のパイプ部材及び複数のジョイント部材によって構成されているため、風袋を小さくすることができ、製造時や販売時における取扱いを容易にすることが可能となる。
【０００８】
また、遊戯部は、その床板として敷設された複数の床板パネルをさらに有しており、床板パネルは、複数のパイプ部材間に架設されていると共に、互いに共通の外形形状を呈し、床板パネルの外縁部分は、上方視において隣接する床板パネル同士が互いに入り込むように凹凸状とされていると共に、パイプ部材の水平方向の変位を規制するように該パイプ部材に係合する係合部を含むことが好ましい。
【０００９】
この場合、床板パネルを遊戯部の床板として隙間なく敷き詰めることができる。これと共に、床板パネルによってパイプ部材を好適にホールドすることができ、骨組部が歪むのを防止することが可能となる。その結果、例えばジョイント部材とパイプ部材との緩み等を抑制することができる。さらに、複数の床板パネルが共通化され、これら床板パネルによって遊戯部の床板が構成されるため、風袋を一層小さくすることができる。
【発明の効果】
【００１０】
本発明によれば、幼児に対し高い魅力を与えつつ該幼児の自立心を促進することができ、且つ室内を好適に整頓可能となる。これと共に、風袋を小さくすることができ、製造時や販売時における取扱いを容易にすることが可能となる。
【図面の簡単な説明】
【００１１】
【図１】本発明の一実施形態に係る幼児用ハウス遊具を正面上方から見た斜視図である。
【図２】図２の幼児用ハウス遊具を右側上方から見た斜視図である。
【図３】図１の幼児用ハウス遊具における骨組の斜視図である。
【図４】図１の幼児用ハウス遊具の平面図である。
【図５】図１の幼児用ハウス遊具における床板パネルの平面図である。
【図６】（ａ）は、図１の幼児用ハウス遊具における床板パネルの正面図であり、（ｂ）は、図１の幼児用ハウス遊具における床板パネルの側面図である。
【図７】図１の幼児用ハウス遊具における階段の斜視図である。
【発明を実施するための形態】
【００１２】
以下、添付図面を参照して、本発明の好適な実施形態について詳細に説明する。なお、以下の説明において、同一又は相当要素には同一符号を付し、重複する説明を省略する。また、「上」「下」「左」「右」「前」「後」の語は、幼児用ハウス遊具の上下方向、左右方向、前後方向にそれぞれ対応するものである
【００１３】
図１は、本発明の一実施形態に係る幼児用ハウス遊具を正面上方から見た斜視図であり、図２は、図１の幼児用ハウス遊具を右側上方から見た斜視図である。図１，２に示すように、本実施形態の幼児用ハウス遊具１は、例えば、リビング等の室内に配置され、おおよそ２歳になるような幼児（子供）である２歳児を対象としたハウス型の遊具である。この幼児用ハウス遊具１は、需要者が組み立てて使用する組立て式のものであり、骨組（骨組部）２及びテント（遮蔽体）３を備えている。
【００１４】
図３は、図１の幼児用ハウス遊具における骨組の図２に対応する斜視図である。図３に示すように、骨組２は、幼児用ハウス遊具１の剛性を確保して姿勢を維持するものであり、いわゆるラーメン構造を呈している。つまり、骨組２は、円筒状の複数のパイプ（パイプ部材）１１と、これらパイプ１１を着脱可能に互いに剛接合する複数のジョイント（ジョイント部材）１２と、を有している。
【００１５】
パイプ１１は、紙で形成された紙管である。このパイプ１１の外表面は、ポリプロピレン（ＰＰ）フィルムで覆われており、これにより、パイプ１１の保護が図られている。ジョイント１２は、ポリプロピレンで形成されている。このジョイント１２は、少なくとも２つのパイプ１１における端部のそれぞれに挿入されて嵌合されることで、パイプ１１を互いに剛接合する。
【００１６】
この骨組２においては、具体的には、例えばリビング等の床２５に立設され上下方向に延在する下段支柱パイプ１３ａ〜１３ｌと、床２５に当接する高さ位置にて水平方向に延在する下段梁パイプ１４ａと、床２５から所定の高さ位置にて水平方向に延在する中段梁パイプ１４ｂと、がジョイント１２によって接合されている。これと共に、四隅の下段支柱パイプ１３ａ，１３ｄ，１３ｉ，１３ｌには、上下方向に延在する上段支柱パイプ１５ａ〜１５ｄがジョイント１２によって連続するよう接合されている。これにより、下段梁パイプ１４ａ及び中段梁パイプ１４ｂ間の空間によって下階空間部Ａ１が画設され、中段梁パイプ１４ｂよりも上方の空間によって上階空間部Ａ２が画設される。
【００１７】
さらに、前側において左端の下段支柱パイプ１３ａに隣接する下段支柱パイプ１３ｂには、上下方向に延在する上段支柱パイプ１６がジョイント１２によって連続するように接合されている。また、上段支柱パイプ１５ａ，１６の上端には、水平方向に延在する上段梁パイプ１４ｃがジョイント１２によって接合されている。これにより、後述のドア部３５におけるドア枠が構成されている。
【００１８】
なお、パイプ１１のジョイント１２が設けられていない端部には、パイプ１１の内部を塞ぐキャップＣが取り付けられている。キャップＣは、パイプ１１に取り付けられた状態において、パイプ１１の径よりも大きくされている（つまり、パイプ１１に対し径方向外側に膨らんでいる）。これにより、パイプ１１に挿通されたテント３のスリーブＶ（図１参照）が、該パイプ１１から容易に抜け出ないようになっている。
【００１９】
下階空間部Ａ１において下段支柱パイプ１３ｂ，１３ｃ間のスペース５、及び下段支柱パイプ１３ｃ，１３ｄ間のスペース６には、図１，２に示すように、収納箱（収納部）２１がそれぞれ配置されている。収納箱２１は、紙や樹脂等で形成され、直方体外形を呈している。ここでの収納箱２１の上方側には、収納口として開口２１ａが形成されている。
【００２０】
一方、上階空間部Ａ２には、幼児の遊戯場としての遊戯部Ｓが設けられている。換言すると、上階空間部Ａ２の少なくとも一部は、幼児が留まる居場所である遊戯部Ｓとなっている。遊戯部Ｓは、その床板として敷設され、ポリプロピレンで形成された複数の床板パネル４１（詳しくは、後述）を有している。
【００２１】
図２に示すように、テント３は、遊戯部Ｓの外囲を構成するものであり、遊戯部Ｓの周囲の少なくとも一部を遮蔽する。つまり、テント３は、遊戯部Ｓの壁部を構成する幕体として機能する。このテント３は、前面部３１、後面部３２、側面部３３、屋根部３４及びドア部３５を含んで構成されている。
【００２２】
前面部３１、後面部３２、側面部３３、屋根部３４及びドア部３５のそれぞれは、ポリエチレン（ＰＥ）からなる遮光性のシート３６の外縁に金属製のワイヤ３７が設けられてなると共に、所定形状に折畳み可能に構成されており、非展開時の風袋が小さくなっている。また、これら各部３１〜３５は、そのスリーブＶにパイプ１１を挿通すること、又はその紐を他の構成要素に掛けて結束することで、取り付けられている。
【００２３】
前面部３１及び後面部３２は、左右方向を長手方向とする略長方形状を呈している。前面部３１の上下幅は、幼児が遊戯部Ｓに座った状態で該幼児が外部から隠れる程度の寸法とされている。また、後面部３２は、前面部３１よりも上下幅が大きくなっている。側面部３３は、前側上方の縁が傾斜する略三角錐台形状を呈している。この側面部３３には、メッシュ地からなる窓３８が設けられている。屋根部３４は、左右方向を長手方向とする略長方形状を呈し、水平になるようにして前面部３１、後面部３２及び側面部３３に連結されている。
【００２４】
ドア部３５は、上下方向を長手方向とする略長方形状を呈している。このドア部３５は、遊戯部Ｓの出入口を構成するものであり、そのスリーブ３５ａに支柱パイプ１３ｂ，１６（図２参照）が挿通されて取り付けられている。また、ドア部３５には、側面部３３に対し着脱可能に固定されるものとしてマジックテープ（登録商標）等の面ファスナー３５ｂが設けられている。これにより、ドア部３５は、スリーブ３５ａをヒンジとして機能させ、開閉可能とされる。なお、図１ではドア部３５の閉状態を示し、図２ではドア部３５の開状態を示している。
【００２５】
このように構成されたテント３では、パイプ１１に取り付けられた状態において、前側上方が切り欠かれたような開口３９が形成されることになる。つまり、遊戯部Ｓにあっては、前側上方が外部空間と連通するようにテント３によって覆われており、遊戯部Ｓ内が外部から開口３９を介して視認可能になっている。
【００２６】
図４は図１の幼児用ハウス遊具の平面図、図５は図１の幼児用ハウス遊具における床板パネルの平面図、図６（ａ），（ｂ）は、図１の幼児用ハウス遊具における床板パネルの正面図及び側面図である。図４に示すように、幼児用ハウス遊具１では、テント３に囲まれた内部にて、遊戯部Ｓの床板として床板パネル４１が複数敷設されていると共に、遊戯部Ｓに昇降するための階段（昇降部）５１がドア部３５の内側に近接して設けられている
【００２７】
この床板パネル４１は、互いに共通の外形形状を呈しており、略正方形板状とされている。この床板パネル４１は、隣接する４つの中段梁パイプ１４ｂで囲まれた領域のそれぞれのうち階段５１の上方以外の領域を閉塞するように、中段梁パイプ１４ｂ間に架け渡されている（架設されている）。具体的には、床板パネル４１は、以下のように構成されている。
【００２８】
すなわち、図４，５に示すように、上方から見て、床板パネル４１の４つの辺縁部分には、内側に窪む凹部４２と、外側に突出する凸部４３と、が形成されている。そして、敷設された状態において、隣接する床板パネル４１ａ，４１ｂのうち一の床板パネル４１ａの凹部４２に、他の床板パネル４１ｂの凸部４３が進入している。つまり、上方視で隣接する床板パネル４１ａ，４１ｂ同士が互いに入り込むように、床板パネル４１の外縁部分が凹凸状とされている。
【００２９】
また、図６（ａ），（ｂ）に示すように、凸部４３の下面４５側には、パイプ１１に水平方向に係合するものとして、該パイプ１１の外形に対応する断面円形状に窪む凹状の係合部４４が設けられている。詳言すると、凸部４３の下面側に設けられた係合部４４は、凸部４３の突出方向に直交する方向に延びる中段梁パイプ１４ｂの上側に嵌合する。これにより、凸部４３は、その突出方向に沿った方向において中段梁パイプ１４ｂに少なくとも係合する。その結果、図４に示すように、中段梁パイプ１４ｂ間に架設された床板パネル４１にあっては、中段梁パイプ１４ｂを水平方向にホールド（保持）し、前後方向及び左右方向における中段梁パイプ１４ｂの変位を規制することとなる。
【００３０】
さらに、図６（ｂ）に示すように、床板パネル４１の下面４５側における左右方向の端部には、床板パネル４１が中段梁パイプ１４ｂから外れるのを防止するための抜止め部４６が形成されている。この抜止め部４６は、下方へ突出するアーム４６ｘと、アーム４６ｘの下端に設けられた爪４６ｙと、を含み、中段梁パイプ１４ｂの外周面に当接して係合する。
【００３１】
なお、図４に示すように、敷設された床板パネル４１における隣接しない側（遊戯部Ｓの外縁側）の凹部４２内には、サイドパネル４８が着脱可能に取り付けられている。これにより、床板パネル４１の隣接しない側の縁部は、面一となっている。
【００３２】
図７は、図１の幼児用ハウス遊具における階段の斜視図である。図７に示すように、幼児用ハウス遊具１は、骨組２の一部として階段５１を備えている。階段５１は、下段支柱パイプ１３ｅ，１３ｆの中間にジョイント１２で接合され前後方向に延在する一対の階段用パイプ５２と、下段梁パイプ１４ａの中間にジョイント１２で接合され上下方向に延在する一対の階段用パイプ５３，５３と、左右方向に延在する階段用パイプ５４と、下段支柱パイプ１３ｅ，１３ｆの中間にジョイント１２で接合され左右方向に延在する階段用パイプ５５と、を有している。また、階段５１では、階段用パイプ５２〜５４がジョイント１２を介して接合されている。
【００３３】
以上のように構成された幼児用ハウス遊具１が幼児に使用される場合、図１，２に示すように、まず、ドア部３５が開かれて、階段５１を介して遊戯部Ｓ内に進入される。そして、この遊戯部Ｓ内で、例えば、玩具を広げて遊んだり、寝たり、お菓子を食べたり等されることとなる。
【００３４】
ここで、本実施形態では、遊戯部Ｓの周囲がテント３で遮蔽されており、遊戯部Ｓが幼児にとって自分だけの空間（部屋）であるという意識が高められている。さらに、この遊戯部Ｓは、幼児が好きな高い位置、すなわち上階空間部Ａ２に設けられていることから、魅力の高いものとなっている。つまり、本実施形態では、幼児に好まれる高い場所に、幼児の自己管理能力や自立心を養うような幼児だけの特別な部屋（居場所）を提供することができ、幼児に対し高い魅力を与えつつ該幼児の自立心を促進する（自分でできるという意欲を一層育てる）ことが可能となるのである。
【００３５】
これと共に、下階空間部Ａ１に収納箱２１が配設されていることから、幼児は、自分のものを自分で収納箱２１へ片付けたり、大事なものを収納箱２１にしまったり等できるため、幼児の自立心を促進するという上記作用効果は顕著となる。加えて、かかる収納箱２１は、例えば細々とした他の玩具等を収納するものとしても利用でき、父母等（祖父母等の年長家族者を含む。以下、同じ）によって室内を好適に整頓することも可能となる。その結果、様々な玩具でリビング等が散らかったりするのを抑制することができる。
【００３６】
さらに、本実施形態では、骨組２が複数のパイプ１１及びジョイント１２によって構成されているため、製造時や販売時における製品外観（包装容器）である風袋を小さくすることができる。
【００３７】
以上、本実施形態の幼児用ハウス遊具１によれば、幼児にとって高い魅力を有するだけでなく、該幼児の自立心を促進（自立促進遊具として使用）することができ、且つ室内を好適に整頓可能となる。つまり、本実施形態の幼児用ハウス遊具１は、「室内で遊べる」且つ「室内が片付く」幼児用部屋といえる。これと共に、本実施形態では、その風袋を小さくすることができ、製造時や販売時におけるハンドリング性を高めて取扱いを容易にすることが可能となる。
【００３８】
なお、好奇心が強くなり始める２歳児に対しては、遊戯部Ｓが高い位置に設けられることによる遊戯部Ｓの魅力向上は特に効果的である。さらに、一般的に、子供が２歳児の時期には、玩具を買い与える習慣が薄れており、父母等は、何を玩具として与えるべきか迷うことが多い。この点において、本実施形態は、２歳児を対象とする遊具として、ひいては、２歳児の幼児用子供部屋として特に格別なものともいえる。
【００３９】
また、本実施形態では、上述したように、床板パネル４１の外縁部分に凹部４２及び凸部４３が設けられて床板パネル４１ａ，４１ｂ同士が互いに入り込んでいるため、床板パネル４１を遊戯部Ｓの床板として隙間なく敷き詰めることができる。そして、このとき、凸部４３の下面側の係合部４４が中段梁パイプ１４ｂに係合し、中段梁パイプ１４ｂが水平方向に変位しないようにされているため、床板パネル４１を敷き詰めるだけで、中段梁パイプ１４ｂを好適にホールドすることが可能となる。
【００４０】
その結果、例えば、遊戯部Ｓで幼児が遊ぶことによってパイプ１１，１１の間隔が拡がったり狭まったり（パイプ１１，１１の端部が開いたり閉じたり）してしまい、骨組２が歪んでパイプ１１とジョイント１２とが緩むのを抑制でき、幼児用ハウス遊具１の変形を抑制することが可能となる。かかる効果は、本実施形態のように幼児用ハウス遊具１が組立て式の場合、パイプ１１とジョイント１２とが緩み易いために特に有効である。
【００４１】
さらに、複数の床板パネル４１によって遊戯部Ｓの床板が構成されている、つまり、遊戯部Ｓの床板が複数にパネル化されていることから、風袋を一層小さくすることができる。また、この床板パネル４１は共通化されていることから、生産性を向上し、低コスト化することが可能となる。
【００４２】
また、本実施形態では、上述したように、テント３の前側上方に開口３９が形成されている。そのため、父母等は、遊戯部Ｓ内の幼児を容易に視認し確認することができ、幼児と安心して一緒に室内に居ることができる。さらに、父母等は、例えばソファに座った状態で、遊戯部Ｓで遊ぶ幼児と開口３９を介して顔合わせながら話をすることができる。
【００４３】
また、本実施形態では、上述したように、遊戯部Ｓに昇降するための階段５１が骨組２の一部で構成されている。そのため、別途の昇降部を設置することが不要となる。よって、風袋を一層小さくできると共に、低コスト化が実現可能となる。なお、階段５１を骨組２の一部で構成することで、その分だけ骨組２の剛性を高めることも可能となる。なお、この階段５１がテント３内（ドア部３５の内側）に設けられていることから、遊戯部Ｓが幼児にとって自分だけの空間であるという上記意識は一層高められている。
【００４４】
ちなみに、下階空間部Ａ１において下段支柱パイプ１３ｅ〜１３ｌ間のスペース７を、収納部としてさらに利用することも勿論可能である。このスペース７は、奥まった位置にあるため、隠し場所として幼児に好適に利用される。
【００４５】
ここで、本実施形態の幼児用ハウス遊具１に関し、モニター調査を行った。具体的には、２歳児を対象として幼児用ハウス遊具１を使用し、この２歳児の父母等から使用状況の報告を受けた。その調査結果を下表１に示す。下表１に示すように、モニター調査によれば、幼児に対し高い魅力を与えつつ該幼児の自立心を促進するという上記作用効果を確認することができた。
【表１】
2011110100.tif 000003
【００４６】
以上、本発明の好適な実施形態について説明したが、本発明に係る幼児用ハウス遊具は、実施形態に係る上記幼児用ハウス遊具１に限られるものではなく、各請求項に記載した要旨を変更しない範囲で変形し、又は他のものに適用したものであってもよい。
【００４７】
例えば、上記実施形態は、昇降部として階段５１を備えているが、これに代えて、例えば梯子、滑り台又はスロープ等を備えていてもよい。また、上記実施形態では、開口３９が形成されるよう遊戯部Ｓがテント３で覆われているが、これに限定されるものではなく、遊戯部の周囲の少なくとも一部が遮蔽されるよう遊戯部が遮蔽部材で覆われていればよい。
【００４８】
また、上記実施形態の幼児用ハウス遊具１は、需要者が自ら組み立てる組立て式であるが、製造時や販売時に予め組み立てられていてもよく、或いは、いわゆる折畳み式、縮小／拡大式、展開／収納式であってもよい。
【００４９】
また、上記実施形態では、上下２階の空間部Ａ１，Ａ２が画設されるように骨組２が構成されているが、全３階以上の空間部が画設されるように構成されていてもよく、複数階の空間部が画設されていればよい。この場合、一の空間部に収納部が設けられ、この一の空間部の上階の空間部に遊戯部が設けられる。
【００５０】
また、上記実施形態では、敷設された複数の床板パネル４１において隣接しない側の凹部４２内にサイドパネル４８が取り付けられているが、場合によっては、サイドパネル４８が取り付けられていなくともよい。
【符号の説明】
【００５１】
１…幼児用ハウス遊具、２…骨組（骨組部）、３…テント（遮蔽体）、１１…パイプ（パイプ部材）、１２…ジョイント（ジョイント部材）、１３ａ〜１３ｊ…下段支柱パイプ（パイプ部材）、１４ａ…下段梁パイプ（パイプ部材）、１４ｂ…中段梁パイプ（パイプ部材）、１４ｃ…上段梁パイプ（パイプ部材）、１５ａ〜１５ｄ，１６…上段支柱パイプ（パイプ部材）、２１…収納箱（収納部）、４１，４１ａ，４２ｂ…床板パネル、４４…係合部、５１…階段（昇降部）、５２〜５４…階段用パイプ（昇降部，パイプ部材）、Ａ１…下階空間部（一の空間部）、Ａ２…上階空間部（他の空間部）、Ｓ…遊戯部。
【図１】
2011110100.tif 000004
【図２】
2011110100.tif 000005
【図３】
2011110100.tif 000006
【図４】
2011110100.tif 000007
【図５】
2011110100.tif 000008
【図６】
2011110100.tif 000009
【図７】
2011110100.tif 000010